(57)【要約】  方法は、映像信号出力装置（４）を準備するステップと、前記映像信号出力装置（４）によって撮影される対象（１）の第１位置に対応する映像信号の明るさ成分を入力するステップと、前記第１位置に対応する明るさ成分のγ値を補正するステップと、前記映像信号出力装置（４）によって撮影される前記対象（１）の第２位置（７１）に対応する映像信号の明るさ成分を入力するステップと、前記第２位置に対応する明るさ成分のγ値を補正するステップと、ガンマ補正後の第１位置に対応する前記明るさ成分とガンマ補正後の第２位置に対応する前記明るさ成分との比を算出するステップと、前記比（７２）を表示するステップと、を含む。
2008072337.tif 000002
【特許請求の範囲】
【請求項１】
所定のγ値を有する映像信号を入力する手段（４１）と、
前記映像信号の内容に含まれる第１位置に対応する明るさ成分の前記所定のγ値を１に戻す手段（４３）と、
を備える装置（３０）であって、
前記手段（４３）は、前記映像信号の内容に含まれる第１位置に対応する明るさ成分の前記所定のγ値を１に戻し、
前記手段（４３）は、ガンマ補正後の第１位置に対応する前記明るさ成分とガンマ補正後の第２位置に対応する前記明るさ成分との比を算出する、装置（３０）。
【請求項２】
請求項１に記載の装置（３０）であって、
前記映像信号を表示する手段（４４）を、
さらに備える装置（３０）。
【請求項３】
請求項１に記載の装置（３０）であって、
前記第１位置及び前記第２位置を指定する手段（４５）を、
さらに備える装置（３０）。
【請求項４】
請求項１に記載の装置（３０）であって、
ガンマ補正変換式を記憶する手段（４２）を、
さらに備え、
前記手段（４３）は、前記ガンマ補正変換式に基づいて、前記所定のγ値を１に戻す、装置（３０）。
【請求項５】
請求項１に記載の装置（３０）であって、
前記比は、相対露光量又は相対絞り値である、装置（３０）。
【請求項６】
請求項１に記載の装置（３０）であって、前記装置（３０）は、波形表示装置である、装置（３０）。
【請求項７】
映像信号出力装置（４）を準備するステップと、
前記映像信号出力装置（４）によって撮影される対象（１）の第１位置に対応する映像信号の明るさ成分を入力するステップと、
前記第１位置に対応する明るさ成分のγ値を補正するステップと、
前記映像信号出力装置（４）によって撮影される前記対象（１）の第２位置に対応する映像信号の明るさ成分を入力するステップと、
前記第２位置に対応する明るさ成分のγ値を補正するステップと、
ガンマ補正後の第１位置に対応する前記明るさ成分とガンマ補正後の第２位置に対応する前記明るさ成分との比を算出するステップと、
前記比を表示するステップと、
を含む方法。
【請求項８】
請求項７に記載の方法であって、
前記映像信号出力装置（４）によって撮影される前記対象（１）内に、所定の反射率を有する物体（３１）を準備するステップを、
さらに含み、
前記第１位置は、前記物体（３１）に対応する、方法。
【請求項９】
映像信号を入力する手段（４１）と、
前記映像信号の明るさ成分とＦ値との関係式を記憶する手段（４２）と、
前記映像信号の内容に含まれる第１位置に対応する明るさ成分に対応するＦ値と前記映像信号の内容に含まれる第２位置に対応する明るさ成分に対応するＦ値との比を算出する手段（４３）と、
を備える装置（３０）。
【請求項１０】
請求項９に記載の装置（３０）であって、
前記手段（４３）は、前記映像信号の内容に含まれる較正位置に対応する複数の明るさ成分であって、複数のＦ値に関連づけられた複数の明るさ成分から、前記関係式を求める、装置（３０）。
【請求項１１】
請求項９に記載の装置（３０）であって、
前記映像信号を表示する手段（４４）を、
さらに備える装置（３０）。
【請求項１２】
請求項９に記載の装置（３０）であって、
前記比は、相対露光量又は相対絞り値である、装置（３０）。
【請求項１３】
請求項９に記載の装置（３０）であって、前記装置（３０）は、波形表示装置である、装置（３０）。
【請求項１４】
映像信号出力装置（４）を準備するステップと、
映像信号の明るさ成分とＦ値との関係式を準備するステップと、
前記映像信号出力装置（４）によって撮影される対象（１）の第１位置に対応する映像信号の明るさ成分を入力するステップと、
前記第１位置に対応する明るさ成分に対応するＦ値を求めるステップと、
前記映像信号出力装置（４）によって撮影される前記対象（１）の第２位置に対応する映像信号の明るさ成分を入力するステップと、
前記第２位置に対応する明るさ成分に対応するＦ値を求めるステップと、
第１位置に対応する明るさ成分に対応する前記Ｆ値と第２位置に対応する明るさ成分に対応する前記Ｆ値との比を算出するステップと、
前記比を表示するステップと、
を含む方法。
【請求項１５】
請求項１４に記載の方法であって、
前記映像信号出力装置（４）によって撮影される前記対象（１）内に、所定の反射率を有する物体（３１）を準備するステップを、
さらに含み、
前記第１位置は、前記物体（３１）に対応する、方法。
【請求項１６】
請求項１４に記載の方法であって、
映像信号の明るさ成分とＦ値との関係式を準備する前記ステップは、
前記映像信号出力装置（４）が複数のＦ値に設定されるステップと、
前記映像信号出力装置（４）によって撮影される対象（１）の較正位置に対応する映像信号の複数の明るさ成分を入力するステップと、
前記複数のＦ値と前記複数の明るさ成分とから、前記関係式を求めるステップと、
を含む、方法。
【請求項１７】
請求項１６に記載の方法であって、
前記映像信号出力装置（４）によって撮影される前記対象（１）内に、所定の反射率を有する物体（３１）を準備するステップを、
さらに含み、
前記較正位置は、前記物体（３１）に対応する、方法。
【発明の詳細な説明】
【技術分野】
【０００１】
本発明は、一般に、映像信号から相対露光量を測定する装置及び方法に関連する。例えば、本発明は、映像信号出力装置からの映像信号に基づいて、第１位置に対応する明るさを基準として、第２位置に対応する明るさ（相対明るさ）を求め、相対露光量ないし相対絞り値として測定する。
【背景技術】
【０００２】
図１は、映画又はテレビをビデオカメラで撮影するときの様子を表す。ビデオカメラ４によって撮影される対象１のある点（位置）の輝度を求めるために、従来、照度計２は、その点の近くに配置される必要があった。代替的に、ビデオカメラ４の近くに配置可能なスポット照度計３が、従来、用いられていた。【０００３】
以下に示す特許文献１は、スチルカメラ用の露出計を開示する。この露出計は、映像素子（ＣＣＤ）を組み込む。露出計は、映像素子からの映像信号に基づき、スチルカメラの絞り値、シャッタ速度値、感光フィルム感度、及び感光フィルム特性に関するデータを考慮して、映像素子への入射光量を算出し、標準の露光量に対する比較値（１２）（＋１ＥＶ、＋２ＥＶ、−１ＥＶ、−２ＥＶなど）を表示する。図２は、比較値（１２）の表示例を示す。
【特許文献１】特許第２６３２６４５号明細書（図１、図２、図３、段落６、段落７、段落１３、段落１４、段落２２）
【発明の開示】
【発明が解決しようとする課題】
【０００４】
図１に示される照度計２は、ビデオカメラ４の近くに配置されない。また、複数の点の輝度を測定するために、照度計２の配置を変える必要がある。したがって、照度計２の利便性は、低い。【０００５】
図１に示されるスポット照度計３は、ビデオカメラ４の近くに配置される。また、複数の点の輝度を測定するために、照度計３のターゲットの位置を変えるだけでよい。したがって、照度計３の利便性は、高い。しかしながら、照度計３の測定角度５は、１度程度であり、その結果、測定範囲が広い（測定精度が低い）。【０００６】
特許文献１に開示される露出計は、標準の露光量を基準として露出量を算出するため、露出計は、被写体の任意の点を基準として、相対的な露出量を算出することができない。また、露出計は、ラチチュードを逸脱する領域（１１）を把握することを目的としており、ラチチュードを逸脱しない領域（１２）の標準の露光量に対する比較値（＋１ＥＶ、＋２ＥＶ、−１ＥＶ、−２ＥＶなど）は、ある程度の大きさの領域に対して表示される（測定精度が低い）。【０００７】
加えて、ビデオカメラ又はスチルカメラと別個の照度計又は露出計は、固有の製造誤差を含む。言い換えれば、正確な輝度ないし露光量を測定するには、１つの機器を継続して使用する必要がある。【０００８】
本発明の目的は、以下の事項の少なくとも１つを含む：
高い利便性で相対明るさを測定する装置（又は方法）の提供；
高い測定精度で相対明るさを測定する装置（又は方法）の提供；
簡易に相対露光量ないし相対絞り値を測定する装置（又は方法）の提供；及び
以下に述べる実施形態及び添付の図面を参照することによって、当業者に明らかになる事項。
【課題を解決するための手段】
【０００９】
本発明の装置（３０）は、所定のγ値を有する映像信号を入力する手段（４１）と、前記映像信号の内容に含まれる第１位置に対応する明るさ成分の前記所定のγ値を１に戻す手段（４３）と、を備える。前記手段（４３）は、前記映像信号の内容に含まれる第１位置に対応する明るさ成分の前記所定のγ値を１に戻し、ガンマ補正後の第１位置に対応する前記明るさ成分とガンマ補正後の第２位置に対応する前記明るさ成分との比を算出する。【００１０】
本発明の装置（３０）は、前記映像信号を表示する手段（４４）と、前記第１位置及び前記第２位置を指定する手段（４５）と、ガンマ補正変換式を記憶する手段（４２）とを備えることができる。前記手段（４３）は、前記ガンマ補正変換式に基づいて、前記所定のγ値を１に戻す。【００１１】
本発明の方法は：映像信号出力装置（４）を準備するステップと；前記映像信号出力装置（４）によって撮影される対象（１）の第１位置に対応する映像信号の明るさ成分を入力するステップと；前記第１位置に対応する明るさ成分のγ値を補正するステップと；前記映像信号出力装置（４）によって撮影される前記対象（１）の第２位置に対応する映像信号の明るさ成分を入力するステップと；前記第２位置に対応する明るさ成分のγ値を補正するステップと；ガンマ補正後の第１位置に対応する前記明るさ成分とガンマ補正後の第２位置に対応する前記明るさ成分との比を算出するステップと；前記比を表示するステップと；を含む。【００１２】
本発明の装置（３０）は、映像信号を入力する手段（４１）と、前記映像信号の明るさ成分とＦ値との関係式を記憶する手段（４２）と、前記映像信号の内容に含まれる第１位置に対応する明るさ成分に対応するＦ値と前記映像信号の内容に含まれる第２位置に対応する明るさ成分に対応するＦ値との比を算出する手段（４３）と、を備える。【００１３】
前記手段（４３）は、前記映像信号の内容に含まれる較正位置に対応する複数の明るさ成分であって、複数のＦ値に関連づけられた複数の明るさ成分から、前記関係式を求めることができる。【００１４】
本発明の方法は、映像信号出力装置（４）を準備するステップと；映像信号の明るさ成分とＦ値との関係式を準備するステップと；前記映像信号出力装置（４）によって撮影される対象（１）の第１位置に対応する映像信号の明るさ成分を入力するステップと；前記第１位置に対応する明るさ成分に対応するＦ値を求めるステップと；前記映像信号出力装置（４）によって撮影される前記対象（１）の第２位置に対応する映像信号の明るさ成分を入力するステップと；前記第２位置に対応する明るさ成分に対応するＦ値を求めるステップと；第１位置に対応する明るさ成分に対応する前記Ｆ値と第２位置に対応する明るさ成分に対応する前記Ｆ値との比を算出するステップと；前記比を表示するステップと；を含む。【００１５】
映像信号の明るさ成分とＦ値との関係式を準備する前記ステップは、前記映像信号出力装置（４）が複数のＦ値に設定されるステップと；前記映像信号出力装置（４）によって撮影される対象（１）の較正位置に対応する映像信号の複数の明るさ成分を入力するステップと；前記複数のＦ値と前記複数の明るさ成分とから、前記関係式を求めるステップと；を含むことができる。
【図面の簡単な説明】
【００１６】
【図１】映画又はテレビをビデオカメラで撮影するときの様子を表す。
【図２】特許文献１の露出計における、標準の露光量に対する比較値を表示する例をを示す。
【図３】本発明に従って映画又はテレビをビデオカメラで撮影するときの様子の１例を表す。
【図４】本発明の装置のブロック図の概略を示す。
【図５】ユーザが視覚することができる手段４４の表示例を示す。
【図６】ユーザが視覚することができる手段４４の表示例を示す。
【図７】ユーザが視覚することができる手段４４の表示例を示す。
【図８】ユーザが視覚することができる手段４４の表示例を示す。
【図９】ユーザが視覚することができる手段４４の表示例を示す。
【図１０】手段４１からの映像信号の明るさ成分とビデオカメラ４のＦ値との関係式の１例を示す。
【発明を実施するための最良の形態】
【００１７】
図３は、本発明に従って映画又はテレビをビデオカメラで撮影するときの様子の１例を表す。ビデオカメラ４によって撮影される対象１に、所定の反射率を有する物体３１を準備する。所定の反射率を有する物体３１を準備することにより、その物体３１の場所を基準とすることが可能となる。好ましくは、所定の反射率は、１８％である。また、好ましくは、物体３１の色は、グレーである。１８％の反射率を持ち、グレーの物体３１は、例えば、富士フイルム社から入手可能である「均一濃度板」である。また。１８％の反射率を持ち、グレーの物体３１は、映画又はテレビの撮影現場では、明るさの基準（標準露出値）を得るために、よく用いられている。したがって、標準露出値を得るため、及び、本発明に用いるために、１８％の反射率を持ち、グレーの物体３１を利用することができる。【００１８】
図４は、本発明の装置３０のブロック図の概略を示す。図４に示すように、本発明の装置３０（例えば、相対明るさ測定装置、波形表示装置（waveform  monitor）など）は、映像信号を入力する手段４１（例えば、入力端子など）と、データを記憶する手段４２（例えば、メモリ、ＨＤなど）と、第１位置に対応する映像信号の明るさ成分と第２位置に対応する映像信号の明るさ成分との比を算出する手段４３（例えば、ＣＰＵなど）、映像信号を表示する手段４４（例えば、ディスプレイなど）と、第１位置及び第２位置を指定する手段４５（例えば、ボタン、ツマミなど）と、を有する。【００１９】
ところで、ビデオカメラ４から出力される映像信号の明るさ成分は、スチルカメラ、及び、特許文献１に開示の映像素子（ＣＣＤ）のものと異なり、光強度ないし受光量に比例しない。すなわち、放送規格に従うビデオカメラ４は、テレビのブラウン管の持つγ＝２．２という特性を打ち消すために、γ＝０．４５のガンマ補正回路を備え、その結果、放送規格に従うビデオカメラ４から本発明の装置３０に出力される映像信号の明るさ成分は、光強度ないし受光量の０．４５乗である。また、ビデオカメラ４は、放送規格に従わない独自の特性の調整が可能なガンマ補正回路を備えることもあり、その独自のガンマ補正回路は、ビデオカメラ４の製造会社によって異なる。以下に、ビデオカメラ４が放送規格に従うガンマ補正回路を有する場合と、ビデオカメラ４が独自のガンマ補正回路を有する場合とを、説明する。【００２０】
（ビデオカメラ４がγ＝０．４５のガンマ補正回路を備える場合）
ビデオカメラ４の出力モードは、γ＝０．４５に設定され、手段４１は、γ＝０．４５を持つ映像信号を入力する。映像信号は、手段４１から手段４３を介して手段４４に進む。手段４４は、映像信号を表示する。図５〜図９は、ユーザが視覚することができる手段４４の表示例を示す。図５に示すように、手段４４は、ビデオカメラ４に撮影される対象１を表示し、対象１の中には、所定の反射率を有する物体３１が含まれる。【００２１】
本発明の装置３０のユーザは、物体３１内のある１点を第１位置（基準位置）として設定するために、手段４５を操作する。手段４５は、ユーザからの選択（第１位置の設定開始）を入力し、手段４３に出力する。手段４３は、第１位置の設定開始を認識すると、マーカー用のデータを作成し、手段４４に出力する。マーカーは、例えば、水平軸方向の直線と垂直軸方向の直線との交点５１、丸い点、である。【００２２】
ユーザは、映像信号の内容を視覚的に確認しながら、マーカー５１を物体３１内のある１点に移動させるために、手段４５を操作する。手段４５は、ユーザからの更なる選択（第１位置の調整：垂直軸方向の移動及び／又は垂直軸方向の移動）を入力し、手段４３は、ユーザからの選択に従ったマーカー用のデータを作成し、その結果、手段４４は、ユーザからの選択に従ったマーカー５１の移動を表示する。【００２３】
マーカー５１の移動が完了すると、手段４５は、ユーザからの選択（第１位置の設定完了）を入力し、手段４３に出力する。手段４３は、第１位置の設定完了を認識すると、マーカー５１の位置（第１位置）に対応する（ライン数及びサンプル数の）映像信号の明るさ成分（γ＝０．４５に基づく明るさ成分）を得る。なお、映像信号の成分が、（輝度、第１色差、第２色差）成分、又は、（Ｘ刺激値、Ｙ刺激値、Ｚ刺激値）成分である場合、映像信号の明るさ成分は、輝度成分（Ｙ）又はＹ刺激値成分（Ｙ）である。映像信号の成分が、（赤、緑、青）成分である場合、手段４３は、手段４２から輝度変換式（例えば、ＮＴＳＣ：Ｙ＝０．２９９０Ｒ＋０．５８６４Ｇ＋０．１１４６Ｂ、ＨＤＴＶ：Ｙ＝０．２１２６Ｒ＋０．７１５２Ｇ＋０．０７２２Ｂ）を読み出し、赤成分（Ｒ）、緑成分（Ｇ）、青成分（Ｂ）から輝度成分（Ｙ）を算出する。【００２４】
手段４３は、手段４２からγ＝２．２のガンマ補正変換式（例えば、Ｖｓ＝［（Ｖｒ＋００９９）／１．０９９］(1/0.45)（但し、Ｖｒは、映像信号の輝度成分であり、Ｖｓは、ガンマ補正後の正規化された輝度成分である。）を読み出し、ガンマ補正変換式に基づき、第１位置に対応する映像信号の明るさ成分のγ値を１に戻す。手段４３は、ガンマ補正後の第１位置に対応する映像信号の明るさ成分（γ＝１．０）を手段４２に記憶する。なお、ガンマ補正後の第１位置に対応する映像信号の明るさ成分は、光強度ないし受光量に比例する。【００２５】
手段４３は、第１位置の設定完了を認識すると、明るさの基準を表すマーカー用のデータを作成し、手段４４に出力する。図６に示すように、手段４４は、明るさの基準を表すマーカー（例えば、第１位置を示すとともに、０．０を表すマーカー６１、四角い点、丸い点など）を表示する。【００２６】
本発明の装置３０のユーザは、ビデオカメラ４に撮影される対象１内の所望の点（ターゲット）を第２位置（測定位置）として設定するために、手段４５を操作する。手段４５は、ユーザからの選択（第２位置の設定開始）を入力し、手段４３に出力する。手段４３は、第２位置の設定開始を認識すると、マーカー用のデータを作成し、手段４４に出力する。マーカーは、例えば、水平軸方向の直線と垂直軸方向の直線との交点７１（図７）、丸い点、である。【００２７】
手段４３は、第２位置の設定開始を認識すると、マーカー７１の位置（第２位置）に対応する映像信号の明るさ成分（γ＝０．４５に基づく明るさ成分）を得る。手段４３は、手段４２からγ＝２．２のガンマ補正変換式を読み出し、ガンマ補正後の第２位置に対応する映像信号の明るさ成分（γ＝１．０）を得る。手段４３は、ガンマ補正後の第１位置に対応する映像信号の明るさ成分（γ＝１．０）を手段４２から読み出す。手段４３は、ガンマ補正後の第１位置に対応する映像信号の明るさ成分とガンマ補正後の第２位置に対応する映像信号の明るさ成分との比（相対明るさ）を算出する。手段４３は、相対明るさを表すマーカー用のデータを作成し、手段４４に出力する。図７に示すように、手段４４は、相対明るさを表すマーカー（例えば、第２位置を示すとともに、相対明るさの値（例えば、１．５）を表すマーカー７２、四角い点、丸い点など）を表示する。【００２８】
相対明るさ（ガンマ補正後の第２位置に対応する映像信号の明るさ成分／ガンマ補正後の第１位置に対応する映像信号の明るさ成分）は、相対露出量とも言える。したがって、相対明るさは、相対ＥＶ値に対応する。但し、相対明るさが１より小さい場合、相対明るさの逆数（ガンマ補正後の第１位置に対応する映像信号の明るさ成分／ガンマ補正後の第２位置に対応する映像信号の明るさ成分）が、相対ＥＶ値（マイナス値）とも言える。【００２９】
代替的に、相対明るさ×１．４（又は、相対ＥＶ値）は、相対絞り値とも言える。したがって、相対明るさ（又は、相対ＥＶ値）に１．４を乗算した値は、相対Ｆ値に対応する。手段４３は、相対Ｆ値を算出してもよく、手段４４は、相対Ｆ値を表示してもよい。【００３０】
ユーザは、映像信号の内容を視覚的に確認しながら、マーカー７１を対象１内の所望の点（ターゲット）に移動させるために、手段４５を操作することができる。手段４５は、ユーザからの更なる選択（第２位置の調整：垂直軸方向の移動及び／又は垂直軸方向の移動）を入力し、手段４３は、ユーザからの選択に従ったマーカー用のデータを作成し、その結果、手段４４は、ユーザからの選択に従ったマーカー７１の移動を、相対明るさとともに、表示する。【００３１】
ユーザは、マーカー７１の位置を装置３０に記憶させることもできる。例えば、複数の第２位置に対して、それぞれの第２位置の相対明るさは、同時に表示されることもできる。【００３２】
手段４５は、ユーザからの選択（第２位置の記憶）を入力し、手段４３は、第２位置の記憶が認識された時の第２位置に対応する相対明るさを表すマーカー用のデータを手段４２に記憶し、手段４４は、そのマーカー８１（図８、図９）を表示し続ける。【００３３】
ユーザは、マーカー７１（第２位置）を対象１内の所望の点（更なるターゲット）に移動させるために、手段４５を操作することができる。手段４５は、ユーザからの更なる選択（更なる第２位置の調整）を入力し、手段４３は、ユーザからの選択に従ったマーカー用のデータを作成し、その結果、手段４４は、ユーザからの選択に従ったマーカー９１の移動を、相対明るさ９２とともに、表示する（図９）。【００３４】
マーカー９１の移動が完了すると、手段４５は、ユーザからの選択（第２位置の設定完了）を入力し、手段４３に出力する。手段４３は、第２位置の設定完了を認識すると、マーカー５１、６１、７１、８１、９１、９２のデータを消去し、手段４４は、すべてのマーカーの表示を終了し、装置３０は、相対明るさの測定を終了する。【００３５】
図７において、手段４４は、マーカー７１、７２のみを表示することもできる。代替的に、図７において、手段４４は、マーカー６１、７１、７２のみを表示することもできる。図９において、手段４４は、マーカー７１の表示のみを終了することもできる。【００３６】
上述の例において、第２位置は、２つ（マーカー８１、９２）であったが、第２位置の数は、１つでもよく、又は、３以上でもよい。また、上述の例において、第２位置の移動とともに、マーカー７２が表示されたが、第２位置の移動中は、マーカー７２の表示を中止してもよく、或いは、手段４３は、相対明るさの算出を中止してもよい。【００３７】
上述の例において、本発明は、特許請求の範囲に規定される範囲を脱することなく、変更することができる。【００３８】
（ビデオカメラ４が独自のガンマ補正回路を備える場合）
上述の例において、手段４３は、手段４１からの映像信号の明るさ成分（γ＝０．４５）を、γ＝２．２のガンマ補正変換式を用いて、ガンマ補正後の映像信号の明るさ成分（γ＝１．０）を求める。しかしながら、ビデオカメラ４が独自のガンマ補正回路を備える場合、ビデオカメラ４のガンマ曲線ないしガンマ値が不知であるので、所定のγ値のガンマ補正変換式を用いることができない。そこで、以下の例において、手段４３は、手段４１からの映像信号の明るさ成分とビデオカメラ４のＦ値との関係式を求め、この変換式に基づき、相対絞り値、相対露出量、ないし相対明るさを算出する。【００３９】
ビデオカメラ４の出力モードは、独自のガンマ値ないし曲線に設定され、手段４１は、独自のγ値を持つ映像信号を入力する。映像信号は、手段４１から手段４３を介して手段４４に進む。手段４４は、映像信号を表示する。図５に示すように、手段４４は、ビデオカメラ４に撮影される対象１を表示し、対象１の中には、所定の反射率を有する物体３１が含まれる。【００４０】
（較正）
本発明の装置３０のユーザは、物体３１内のある１点を較正位置として設定するために、手段４５を操作する。手段４５は、ユーザからの選択（較正位置の設定開始）を入力し、手段４３に出力する。手段４３は、較正位置の設定開始を認識すると、マーカー用のデータを作成し、手段４４に出力する。マーカーは、例えば、水平軸方向の直線と垂直軸方向の直線との交点５１、丸い点、である。【００４１】
ユーザは、映像信号の内容を視覚的に確認しながら、マーカー５１を物体３１内のある１点に移動させるために、手段４５を操作する。手段４５は、ユーザからの更なる選択（較正位置の調整：垂直軸方向の移動及び／又は垂直軸方向の移動）を入力し、手段４３は、ユーザからの選択に従ったマーカー用のデータを作成し、その結果、手段４４は、ユーザからの選択に従ったマーカー５１の移動を表示する。【００４２】
マーカー５１の移動が完了すると、手段４５は、ユーザからの選択（較正位置の設定完了）を入力し、手段４３に出力する。手段４３は、較正位置の設定完了を認識すると、手段４１からの映像信号の明るさ成分とビデオカメラ４のＦ値との関係式を求める準備をする。【００４３】
手段４３は、手段４２からＦ値データ（複数のＦ値からなるデータ；例えば、２２．０、１６．０、１１．０、８．０、５．６、４．０、２．８及び２．０）を読み出し、最も大きいＦ値に対応する映像信号の明るさ成分の入力を待つ。【００４４】
ビデオカメラ４のレンズのＦ値が、例えばビデオカメラ４のユーザによって、２２．０に設定され、手段４１は、Ｆ＝２２．０に対応する映像信号を入力する。本発明の装置３０のユーザは、映像信号の明るさ成分を獲得するために、手段４５を操作する。手段４５は、ユーザからの選択（明るさ成分の獲得）を入力し、手段４３に出力する。手段４３は、明るさ成分の獲得を認識すると、Ｆ＝２２．０に関連づけられた映像信号の明るさ成分を手段４２に記憶する。【００４５】
手段４３は、次のＦ値に対応する映像信号の明るさ成分の入力を待つ。ビデオカメラ４のレンズのＦ値が、１６．０に設定され、手段４１は、Ｆ＝１６．０に対応する映像信号を入力する。手段４５は、ユーザからの選択（明るさ成分の獲得）を入力し、手段４３は、明るさ成分の獲得を認識すると、Ｆ＝１６．０に関連づけられた映像信号の明るさ成分を手段４２に記憶する。【００４６】
ビデオカメラ４のレンズのＦ値は、順次、１１．０、８．０、５．６、４．０、２．８及び２．０に設定され、手段４３は、Ｆ＝１１．０〜２．０に関連づけられた映像信号の明るさ成分を、順次、手段４２に記憶する。【００４７】
手段４３は、最も小さいＦ値に対応する映像信号の明るさ成分を記憶すると、手段４１からの映像信号の明るさ成分とビデオカメラ４のＦ値との関係式を求め、手段４２に記憶する。図１０は、この関係式の１例を示す。図１０に示される関係式は、隣接する２つのＦ値と各Ｆ値に対応する明るさ成分とから求めた直線を含む。具体的には、関係式は、Ｆ＝２２．０とＦ＝２２．０に対応する明るさ成分とからなる点１１１と、Ｆ＝１６．０とＦ＝１６．０に対応する明るさ成分とからなる点１１２と、を結ぶ直線１１３を含む。図１０に示される関係式は、７つの直線からなるが、８つの明るさ成分に基づく１つ又は複数の近似式ないし近似曲線に変更してもよい。また、図１０に示される関係式は、７つの直線からなるが、その７つの直線に基づくルックアップテーブルとして、手段４２に記憶されてもよい。【００４８】
（測定）
ビデオカメラ４のレンズのＦ値は、最も大きいＦ値及び最も小さいＦ値以外のＦ値（例えば、５．６）に設定される。【００４９】
本発明の装置３０のユーザは、物体３１内のある１点を第１位置（基準位置）として設定するために、手段４５を操作する。手段４５は、ユーザからの選択（第１位置の設定開始）を入力し、手段４３に出力する。手段４３は、第１位置の設定開始を認識すると、マーカー用のデータを作成し、手段４４に出力する。【００５０】
ユーザは、必要に応じて、映像信号の内容を視覚的に確認しながら、マーカー５１を物体３１内のある１点に移動させるために、手段４５を操作する。手段４５は、ユーザからの更なる選択（第１位置の調整：垂直軸方向の移動及び／又は垂直軸方向の移動）を入力し、手段４３は、ユーザからの選択に従ったマーカー用のデータを作成し、その結果、手段４４は、ユーザからの選択に従ったマーカー５１の移動を表示する。【００５１】
マーカー５１の移動が完了すると、手段４５は、ユーザからの選択（第１位置の設定完了）を入力し、手段４３に出力する。手段４３は、第１位置の設定完了を認識すると、マーカー５１の位置（第１位置）に対応する（ライン数及びサンプル数の）映像信号の明るさ成分（独自のガンマに基づく明るさ成分）を得る。【００５２】
手段４３は、手段４２から、映像信号の明るさ成分とＦ値との関係式を読み出し、この関係式に基づき、第１位置の映像信号の明るさ成分に対応するＦ値を求める。手段４３は、求めたＦ値を手段４２に記憶する。【００５３】
手段４３は、第１位置の設定完了を認識すると、明るさの基準を表すマーカー用のデータを作成し、手段４４に出力する。図６に示すように、手段４４は、明るさの基準を表すマーカー（例えば、第１位置を示すとともに、０．０を表すマーカー６１、四角い点、丸い点など）を表示する。【００５４】
本発明の装置３０のユーザは、ビデオカメラ４に撮影される対象１内の所望の点（ターゲット）を第２位置（測定位置）として設定するために、手段４５を操作する。手段４５は、ユーザからの選択（第２位置の設定開始）を入力し、手段４３に出力する。手段４３は、第２位置の設定開始を認識すると、マーカー用のデータを作成し、手段４４に出力する。【００５５】
手段４３は、第２位置の設定開始を認識すると、マーカーの位置（第２位置）に対応する映像信号の明るさ成分（独自のガンマに基づく明るさ成分）を得る。手段４３は、手段４２から明るさ成分とＦ値との関係式を読み出し、第２位置の映像信号の明るさ成分に対応するＦ値を得る。手段４３は、第１位置の映像信号の明るさ成分に対応するＦ値を手段４２から読み出す。手段４３は、第１位置の映像信号の明るさ成分に対応するＦ値と第２位置の映像信号の明るさ成分に対応するＦ値との比（相対絞り値）を算出する。【００５６】
相対絞り値÷１．４は、相対明るさないし相対露出量とも言える。但し、相対絞り値が１より小さい場合、相対絞り値の逆数（第１位置の映像信号の明るさ成分に対応するＦ値／第２位置の映像信号の明るさ成分に対応するＦ値）が、相対ＥＶ値（マイナス値）とも言える。手段４３は、相対明るさ又は相対露出量を算出することができる。【００５７】
手段４３は、相対明るさ、相対露出量、又は相対絞り値を表すマーカー用のデータを作成し、手段４４に出力する。手段４４は、相対明るさを表すマーカー（例えば、第２位置を示すとともに、相対明るさ、相対露出量、又は相対絞り値の値を表すマーカー、四角い点、丸い点など）を表示する。【００５８】
ユーザは、映像信号の内容を視覚的に確認しながら、マーカーを対象１内の所望の点（ターゲット）に移動させるために、手段４５を操作することができる。手段４５は、ユーザからの更なる選択（第２位置の調整：垂直軸方向の移動及び／又は垂直軸方向の移動）を入力し、手段４３は、ユーザからの選択に従ったマーカー用のデータを作成し、その結果、手段４４は、ユーザからの選択に従ったマーカーの移動を、相対明るさ、相対露出量、又は相対絞り値とともに、表示する。【００５９】
ユーザは、マーカーの位置を装置３０に記憶させることもできる。例えば、複数の第２位置に対して、それぞれの第２位置の相対明るさ、相対露出量、又は相対絞り値は、同時に表示されることもできる。【００６０】
手段４５は、ユーザからの選択（第２位置の記憶）を入力し、手段４３は、第２位置の記憶が認識された時の第２位置に対応する相対明るさ、相対露出量、又は相対絞り値を表すマーカー用のデータを手段４２に記憶し、手段４４は、そのマーカーを表示し続ける。【００６１】
ユーザは、マーカー（第２位置）を対象１内の所望の点（更なるターゲット）に移動させるために、手段４５を操作することができる。手段４５は、ユーザからの更なる選択（更なる第２位置の調整）を入力し、手段４３は、ユーザからの選択に従ったマーカー用のデータを作成し、その結果、手段４４は、ユーザからの選択に従ったマーカーの移動を、相対明るさ、相対露出量、又は相対絞り値とともに、表示する。【００６２】
マーカーの移動が完了すると、手段４５は、ユーザからの選択（第２位置の設定完了）を入力し、手段４３に出力する。手段４３は、第２位置の設定完了を認識すると、装置３０は、相対明るさ、相対露出量、又は相対絞り値の測定を終了する。【００６３】
上述の例において、Ｆ値データは、２２．０、１６．０、１１．０、８．０、５．６、４．０、２．８及び２．０であったが、さらに１．９、１．６、１．３を含んでもよい。Ｆ値のデータは、ビデオカメラ４のレンズのＦ値と一致させることができる。また、Ｆ値の数は、少なくとも２つである。【００６４】
上述の例において、校正は、１回であったが、複数の種類のビデオカメラに対して、映像信号の明るさ成分と各ビデオカメラのＦ値との関係式（複数の関係式）を求めることもできる。手段４２は、複数の関係式を記憶することができ、手段４３は、ユーザからの選択に従った１つの関係式に基づき、第１位置ないし第２位置に対応するＦ値を算出することもできる。【００６５】
上述の例において、本発明は、特許請求の範囲に規定される範囲を脱することなく、変更することができる。
【図１】
2008072337.tif 000003
【図２】
2008072337.tif 000004
【図３】
2008072337.tif 000005
【図４】
2008072337.tif 000006
【図５】
2008072337.tif 000007
【図６】
2008072337.tif 000008
【図７】
2008072337.tif 000009
【図８】
2008072337.tif 000010
【図９】
2008072337.tif 000011
【図１０】
2008072337.tif 000012
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
所定のγ値を有する映像信号を入力する手段（４１）と、
前記映像信号の内容に含まれる第１位置に対応する明るさ成分の前記所定のγ値を１に戻す手段（４３）と、
を備える装置（３０）であって、
前記手段（４３）は、前記映像信号の内容に含まれる第２位置に対応する明るさ成分の前記所定のγ値を１に戻し、
前記手段（４３）は、ガンマ補正後の第１位置に対応する前記明るさ成分とガンマ補正後の第２位置に対応する前記明るさ成分との比を算出する、装置（３０）。
【請求項２】
請求項１に記載の装置（３０）であって、
前記映像信号を表示する手段（４４）を、
さらに備える装置（３０）。
【請求項３】
請求項１に記載の装置（３０）であって、
前記第１位置及び前記第２位置を指定する手段（４５）を、
さらに備える装置（３０）。
【請求項４】
請求項１に記載の装置（３０）であって、
ガンマ補正変換式を記憶する手段（４２）を、
さらに備え、
前記手段（４３）は、前記ガンマ補正変換式に基づいて、前記所定のγ値を１に戻す、装置（３０）。
【請求項５】
請求項１に記載の装置（３０）であって、
前記比は、相対露光量又は相対絞り値である、装置（３０）。
【請求項６】
請求項１に記載の装置（３０）であって、前記装置（３０）は、波形表示装置である、装置（３０）。
【請求項７】
映像信号出力装置（４）を準備するステップと、
前記映像信号出力装置（４）によって撮影される対象（１）の第１位置に対応する映像信号の明るさ成分を入力するステップと、
前記第１位置に対応する明るさ成分のγ値を補正するステップと、
前記映像信号出力装置（４）によって撮影される前記対象（１）の第２位置に対応する映像信号の明るさ成分を入力するステップと、
前記第２位置に対応する明るさ成分のγ値を補正するステップと、
ガンマ補正後の第１位置に対応する前記明るさ成分とガンマ補正後の第２位置に対応する前記明るさ成分との比を算出するステップと、
前記比を表示するステップと、
を含む方法。
【請求項８】
請求項７に記載の方法であって、
前記映像信号出力装置（４）によって撮影される前記対象（１）内に、所定の反射率を有する物体（３１）を準備するステップを、
さらに含み、
前記第１位置は、前記物体（３１）に対応する、方法。
【請求項９】
映像信号を入力する手段（４１）と、
前記映像信号の明るさ成分とＦ値との関係式を記憶する手段（４２）と、
前記映像信号の内容に含まれる第１位置に対応する明るさ成分に対応するＦ値と前記映像信号の内容に含まれる第２位置に対応する明るさ成分に対応するＦ値との比を算出する手段（４３）と、
を備える装置（３０）。
【請求項１０】
請求項９に記載の装置（３０）であって、
前記手段（４３）は、前記映像信号の内容に含まれる較正位置に対応する複数の明るさ成分であって、複数のＦ値に関連づけられた複数の明るさ成分から、前記関係式を求める、装置（３０）。
【請求項１１】
請求項９に記載の装置（３０）であって、
前記映像信号を表示する手段（４４）を、
さらに備える装置（３０）。
【請求項１２】
請求項９に記載の装置（３０）であって、
前記比は、相対露光量又は相対絞り値である、装置（３０）。
【請求項１３】
請求項９に記載の装置（３０）であって、前記装置（３０）は、波形表示装置である、装置（３０）。
【請求項１４】
映像信号出力装置（４）を準備するステップと、
映像信号の明るさ成分とＦ値との関係式を準備するステップと、
前記映像信号出力装置（４）によって撮影される対象（１）の第１位置に対応する映像信号の明るさ成分を入力するステップと、
前記第１位置に対応する明るさ成分に対応するＦ値を求めるステップと、
前記映像信号出力装置（４）によって撮影される前記対象（１）の第２位置に対応する映像信号の明るさ成分を入力するステップと、
前記第２位置に対応する明るさ成分に対応するＦ値を求めるステップと、
第１位置に対応する明るさ成分に対応する前記Ｆ値と第２位置に対応する明るさ成分に対応する前記Ｆ値との比を算出するステップと、
前記比を表示するステップと、
を含む方法。
【請求項１５】
請求項１４に記載の方法であって、
前記映像信号出力装置（４）によって撮影される前記対象（１）内に、所定の反射率を有する物体（３１）を準備するステップを、
さらに含み、
前記第１位置は、前記物体（３１）に対応する、方法。
【請求項１６】
請求項１４に記載の方法であって、
映像信号の明るさ成分とＦ値との関係式を準備する前記ステップは、
前記映像信号出力装置（４）が複数のＦ値に設定されるステップと、
前記映像信号出力装置（４）によって撮影される対象（１）の較正位置に対応する映像信号の複数の明るさ成分を入力するステップと、
前記複数のＦ値と前記複数の明るさ成分とから、前記関係式を求めるステップと、
を含む、方法。
【請求項１７】
請求項１６に記載の方法であって、
前記映像信号出力装置（４）によって撮影される前記対象（１）内に、所定の反射率を有する物体（３１）を準備するステップを、
さらに含み、
前記較正位置は、前記物体（３１）に対応する、方法。